(57)【特許請求の範囲】
【請求項１】
移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと、
前記コアネットワークと前記ＰＤＮとの間に設けられた前記伝送路のうち前記コアネットワークから自ノードに到る第１の部分のコネクションを確立し、且つ前記コアネットワークと前記ＰＤＮとの間に設けられ前記伝送路のうち自ノードから前記複数の各ＰＤＮに到る第２の部分のコネクションにおいて、前記第１の部分のコネクションを確立した状態で、前記移動通信端末装置における設定に応じて該当するＰＤＮを選択し、コネクションを確立することで通信を可能にする通信サービス制御ノードと、
を含んで構成されており、
前記通信サービス制御ノードは、
前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて、前記複数のＰＤＮのうち該当するＰＤＮとコネクションを確立することによって当該設定に応じたＰＤＮとの通信を可能にするＰＤＮ選択制御部と、
を備え、
前記ＰＤＮ選択制御部は、前記第１の部分のコネクションを確立した状態で、前記通信部で受信された前記ＰＤＮの選択に係る情報に応じて前記複数のＰＤＮのうち該当するＰＤＮとコネクションを確立する
ことを特徴とする通信サービス提供システム。
【請求項２】
移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと、
前記コアネットワークと前記ＰＤＮとの間に設けられた前記伝送路のうち前記コアネットワークから自ノードに到る第１の部分のコネクションを確立し、且つ前記コアネットワークと前記ＰＤＮとの間に設けられ前記伝送路のうち自ノードから前記複数の各ＰＤＮに到る第２の部分のコネクションにおいて、前記第１の部分のコネクションを確立した状態で、前記移動通信端末装置における設定に応じて該当するＰＤＮを選択し、コネクションを確立することで通信を可能にする通信サービス制御ノードと、
を含んで構成されており、
前記通信サービス制御ノードは、
前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて、前記複数のＰＤＮのうち該当するＰＤＮとコネクションを確立することによって当該設定に応じたＰＤＮとの通信を可能にするＰＤＮ選択制御部と、
を備え、
前記ＰＤＮ選択制御部は、前記複数の各ＰＤＮとコネクション確立を行うための複数の制御プロトコルを保有し、選択されたＰＤＮに適合する制御プロトコルを用いる
ことを特徴とする通信サービス提供システム。
【請求項３】
移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと前記ＰＤＮとの間に設けられ、
前記伝送路のうち前記コアネットワークから自ノードに到る第１の部分のコネクションを確立する情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて前記複数のＰＤＮのうち該当するＰＤＮとコネクションを確立することによって前記移動通信端末装置における設定に応じたＰＤＮとの通信を可能にするＰＤＮ選択制御部と、
を備え、
前記ＰＤＮ選択制御部は、前記第１の部分のコネクションを確立した状態で、前記通信部で受信された前記ＰＤＮの選択に係る情報に応じて前記複数のＰＤＮのうち該当するＰＤＮとコネクションを確立する
ことを特徴とする通信サービス制御ノード。
【請求項４】
前記ＰＤＮ選択制御部は、自己が扱う当該ＰＤＮの選択に係る情報を前記移動通信端末装置が該当する前記ＰＤＮのサーバからデータをダウンロードするに際して更新登録することを特徴とする請求項３に記載の通信サービス制御ノード。
【請求項５】
移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと前記ＰＤＮとの間に設けられ、
前記伝送路のうち前記コアネットワークから自ノードに到る第１の部分のコネクションを確立する情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて前記複数のＰＤＮのうち該当するＰＤＮとコネクションを確立することによって前記移動通信端末装置における設定に応じたＰＤＮとの通信を可能にするＰＤＮ選択制御部と、
を備え、
前記ＰＤＮ選択制御部は、前記複数の各ＰＤＮとコネクション確立を行うための複数の制御プロトコルを保有し、選択されたＰＤＮに適合する制御プロトコルを用いることを特徴とする通信サービス制御ノード。
【請求項６】
移動通信端末装置から該当する無線アクセスネットワークを経て複数のＰＤＮのうちの該当するＰＤＮに到る伝送路のうち前記無線アクセスネットワーク寄りの第１の部分に構成されるコアネットワークに続いて前記ＰＤＮに到る第２の部分に設けた通信サービス制御ノードが、
前記コアネットワークにおいて、該第１の部分に関するコネクションを確立し、
前記伝送路のうち前記第１の部分から前記複数の各ＰＤＮに到る第２の部分のコネクションにおいて、前記移動通信端末装置から前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信し、前記伝送路のうち自ノードから前記複数の各ＰＤＮに到る第２の部分のコネクションにおいて、受信された移動通信端末装置からの該当するＰＤＮの選択に係る情報に応じて、前記複数のＰＤＮのうち該当するＰＤＮとコネクションを確立することによって前記移動通信端末装置における設定に応じたＰＤＮとの通信を可能にし、前記第１の部分のコネクションを確立した状態で、受信された前記ＰＤＮの選択に係る情報に応じて前記複数のＰＤＮのうち該当するＰＤＮとコネクションを確立する
ことを特徴とする通信サービス提供方法。
【請求項７】
移動通信端末装置から該当する無線アクセスネットワークを経て複数のＰＤＮのうちの該当するＰＤＮに到る伝送路のうち前記無線アクセスネットワーク寄りの第１の部分に構成されるコアネットワークに続いて前記ＰＤＮに到る第２の部分に設けた通信サービス制御ノードが、
前記コアネットワークにおいて、該第１の部分に関するコネクションを確立し、
前記伝送路のうち前記第１の部分から前記複数の各ＰＤＮに到る第２の部分のコネクションにおいて、前記移動通信端末装置から前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信し、前記伝送路のうち自ノードから前記複数の各ＰＤＮに到る第２の部分のコネクションにおいて、受信された移動通信端末装置からの該当するＰＤＮの選択に係る情報に応じて、前記複数のＰＤＮのうち該当するＰＤＮとコネクションを確立することによって前記移動通信端末装置における設定に応じたＰＤＮとの通信を可能にするとともに、前記複数の各ＰＤＮとコネクション確立を行うための複数の制御プロトコルを保有し、選択されたＰＤＮに適合する制御プロトコルを用いる
ことを特徴とする通信サービス提供方法。
【発明の詳細な説明】
【技術分野】
【０００１】
本発明は、移動通信端末装置で設定されたＡＰＮ（Access Point Name）に応じたＰＤＮ（Packet Data Network）へ該移動通信端末装置からのコネクションを確立する、通信サービス提供システム、通信サービス制御ノード、通信サービス提供方法に関する。
【背景技術】
【０００２】
近年、移動体通信の発展に伴い、高速で大容量の通信を行うことが至る所で可能となっている。携帯電話機やパーソナルコンピュータ等の移動通信端末装置からインターネット等に接続を行う場合に、移動通信端末装置でＡＰＮを設定し、該設定に対応するＰＤＮへのコネクションを確立する必要がある。ここに、ＰＤＮとは、ＩＳＰ（Internet Service Provider）などのサービス提供基盤を示し、例えば、ｉモード（登録商標）などもＰＤＮの一つである。目的とするそれぞれのサービスを利用するには、各該当するＰＤＮとコネクションを確立する必要がある。
【０００３】
図８は、移動通信端末装置から目的とするサービスに対応するＰＤＮとコネクションを確立する様子を表す概念図である。
図８では、移動通信端末装置８０１から３Ｇ（３rd Generation）の系統８１０、或いは、ＬＴＥ（Long Term Evolution）の系統８２０を経て、目的とするサービスに対応する何れかのＰＤＮ（代表して８３０の符号で表すが、図示の例では説明の便宜上２つのＰＤＮ（＃１）８３１またはＰＤＮ（＃２）８３２の何れか）とコネクションを確立する様子を表している。３Ｇ系統を利用するか、ＬＴＥ系統を利用するかは、移動通信端末装置の能力に依存しているが、どちらの場合でも無線アクセスネットワークの区間とこれに続くコアネットワークの区間とを含んで伝送路が構成される。しかしながら、この点は周知であると共に、本発明の技術においてはこれの如何を問わないため、以降の説明では、通例に従い、無線アクセスネットワークの区間については説明を省略する。
【０００４】
尚、図８における表記は、３Ｇの系統８１０とＬＴＥの系統８２０とが並存するようにシステムが構築されることが要件とされる意ではなく、このような何れかの既定の系統を通してコネクションが確立することを表している。
３Ｇの系統８１０は、そのコアネットワークの区間がＳＧＳＮ８１１およびＧＧＳＮ８１２を含んで構成されている。また、ＬＴＥの系統８２０は、そのコアネットワークの区間がＭＭＥ（Mobility Management Entity: 移動管理呼制御サーバ）８２１およびＰ−ＧＷ（Packet Data Network Gateway）８２２を含んで構成されている。
【０００５】
３Ｇの系統８１０を通してコネクションが確立する場合には、移動通信端末装置８０１で設定されたＡＰＮ（例えば、複数のＰＤＮのうちの一つであるＰＤＮ（＃１）８３１に対応する）に応じて、ＧＧＳＮ８１２が、移動通信端末装置８０１での設定に応じたＰＤＮ８３０を選択し接続を行う。
また、ＬＴＥの系統８２０を通してコネクションが確立する場合には、移動通信端末装置８０１で設定されたＡＰＮ（例えば、複数のＰＤＮ８３０のうちの一つであるＰＤＮ（＃１）８３１に対応する）に応じて、Ｐ−ＧＷ８２２が、移動通信端末装置８０１での設定に応じたＰＤＮを選択し接続を行う。
【０００６】
図９は、図８におけるコネクションが一旦確立した状態に到った後に、移動通信端末装置での設定の変更操作によって他のＰＤＮに接続を切替える場合に生じる現象について説明するための図である。説明の便宜上、図９においては、図８における８００番台の符号は９００番台の符号に置き換えてある。
図８では、移動通信端末装置８０１からＰＤＮ８３０に到る伝送路について３Ｇの系統８１０とＬＴＥの系統８２０とを敢えて表記したが、後述する本発明が主題とする技術は、移動通信端末装置からＰＤＮへの無線アクセスネットワーク区間およびコアネットワーク区間における伝送路の方式の如何を問わない。このため、以降の説明では、図８における３Ｇの系統８１０やＬＴＥの系統８２０を、方式を問わず信号の伝送を担う伝送路９１０として一括して観念し、この伝送を担うための機能を有するノードを代表的にＧＧＳＮ／Ｐ−ＧＷ９１１と表記する。
【０００７】
図９において、当初、移動通信端末装置９０１からＰＤＮ（＃１）９３１へのコネクション（図中、ＰＤＮコネクション＃１と概念的に表記）が確立している状態から、移動通信端末装置９０１での設定の変更操作によってＰＤＮ（＃２）９３２へと接続を切替える場合を想定する（この切替えによるコネクションを、図中、ＰＤＮコネクション＃２と概念的に表記）。この場合、上述の切替えを可能にするためには、従来の技術では、次の２通りの方法が考えられる。
【０００８】
第１の方法は、一旦確立したＰＤＮコネクション＃１を切断して、ＰＤＮ（＃２）９３２へと接続を切替える方法である。この切替え方法は、同時には１本のみのコネクションの確立を許容するポリシーの通信事業者の網では必然的に採用されることになる。
上記第１の方法を採る場合には、コネクションが一旦確立したＰＤＮに属するサーバとの通信路が切断されることになる。この場合には、例えば、ストリーミング配信されていた動画等が接断されることになる。
【０００９】
また、確立したコネクションを切断した上で、再度、目的とするＰＤＮへの接続処理を実行することになるため、網内の該当するノードにおける処理の負担が増大しトラヒックにも影響を生じることになる。
一方、第２の方法は、ＰＤＮ（＃１）とのコネクションを確立した状態を維持したまま、ＰＤＮ（＃２）とのコネクションを確立する方法である。この方法は、同時には複数本のコネクションの確立が許容される条件下で採用され得る。
【００１０】
上記第２の方法を採る場合には、第１の方法におけるように、一旦確立したコネクションを切断して新たに目的とするＰＤＮへの接続処理を実行する必要はない。
しかしながら、常時複数のコネクションを無線装置およびコアネットワーク装置が連携して維持しなくてはならず、必要なメモリ領域が増大する。
尚、ＬＴＥにおいて、1台のＵＥ（User Equipment：移動通信端末装置）が同時に複数のＰＤＮ−ＧＷ（Packet Data Network Gateway：パケットデータ通信網ゲートウェイ）を経由してＰＤＮに接続することは非特許文献１に規定されている。
【先行技術文献】
【非特許文献】
【００１１】
【非特許文献１】３ＧＰＰ ＴＳ ２３．４０１
【発明の概要】
【発明が解決しようとする課題】
【００１２】
本発明は上述のような状況に鑑みてなされたものであり、移動通信端末装置とＰＤＮ間でのコネクションが一旦確立した状態に到った後に、移動通信端末装置での設定の変更操作によって他のＰＤＮに接続を切替えるに際し、一旦確立したコネクションを切断することを要さず、且つ、必要なメモリ領域の増大を要しない通信サービス提供システム、通信サービス制御ノード、および、通信サービス提供方法を実現することをその目的とする。
【課題を解決するための手段】
【００１３】
上記課題を解決するために、ここに、次のような技術を提案する。
（１）移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと、
前記コアネットワークと前記ＰＤＮとの間に設けられた前記伝送路のうち前記コアネットワークから自ノードに到る第１の部分のコネクションを確立し、且つ前記コアネットワークと前記ＰＤＮとの間に設けられ前記伝送路のうち自ノードから前記複数の各ＰＤＮに到る第２の部分のコネクションにおいて、前記第１の部分のコネクションを確立した状態で、前記移動通信端末装置における設定に応じて該当するＰＤＮを選択し、コネクションを確立することで通信を可能にする通信サービス制御ノードと、
を含んで構成されており、
前記通信サービス制御ノードは、
前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて、前記複数のＰＤＮのうち該当するＰＤＮとコネクションを確立することによって当該設定に応じたＰＤＮとの通信を可能にするＰＤＮ選択制御部と、
を備え、
前記ＰＤＮ選択制御部は、前記第１の部分のコネクションを確立した状態で、前記通信部で受信された前記ＰＤＮの選択に係る情報に応じて前記複数のＰＤＮのうち該当するＰＤＮとコネクションを確立することを特徴とする通信サービス提供システム。
【００１４】
上記（１）の通信サービス提供システムでは、移動通信端末装置から該当する無線アクセスネットワークを経て複数のＰＤＮのうちの該当するＰＤＮに到る伝送路における前記コアネットワークと前記ＰＤＮとの間に通信サービス制御ノードが設けられている。この通信サービス制御ノードによって、前記コアネットワークと前記ＰＤＮとの間に設けられた前記伝送路のうち前記コアネットワークから自ノードに到る第１の部分のコネクションを確立し、且つ前記伝送路のうち自ノードから前記複数の各ＰＤＮに到る第２の部分のコネクションにおいて、前記移動通信端末装置における設定に応じて複数ＰＤＮのうち該当するＰＤＮを選択し、コネクションを確立することによって当該設定に応じたＰＤＮとの通信を可能にする。
上記（１）の通信サービス提供システムは、（１）の通信サービス制御ノードにおいて特に、移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと前記ＰＤＮとの間に設けられる。
そして、前記伝送路のうち前記コアネットワークから自ノードに到る第１の部分のコネクションを確立し、そのＰＤＮ選択制御部によって、前記伝送路のうち前記通信サービス制御ノードから前記複数の各ＰＤＮに到る第２の部分のコネクションにおいて、前記第１の部分のコネクションを確立した状態で前記通信部で受信された移動通信端末装置からの該当するＰＤＮの選択に係る情報に応じて前記複数のＰＤＮのうち該当するＰＤＮとコネクションを確立することによって当該設定に応じたＰＤＮとの通信を可能にする。
上記（１）の通信サービス提供システムは、（１）の通信サービス制御ノードにおいて特に、そのＰＤＮ選択制御部が、前記第１の部分のコネクションを確立した状態で前記通信部で受信された当該ＰＤＮの選択に係る情報に応じて前記複数のＰＤＮのうち該当するＰＤＮとコネクションを確立する。
【００１５】
（２）移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと、
前記コアネットワークと前記ＰＤＮとの間に設けられた前記伝送路のうち前記コアネットワークから自ノードに到る第１の部分のコネクションを確立し、且つ前記コアネットワークと前記ＰＤＮとの間に設けられ前記伝送路のうち自ノードから前記複数の各ＰＤＮに到る第２の部分のコネクションにおいて、前記第１の部分のコネクションを確立した状態で、前記移動通信端末装置における設定に応じて該当するＰＤＮを選択し、コネクションを確立することで通信を可能にする通信サービス制御ノードと、
を含んで構成されており、
前記通信サービス制御ノードは、
前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて、前記複数のＰＤＮのうち該当するＰＤＮとコネクションを確立することによって当該設定に応じたＰＤＮとの通信を可能にするＰＤＮ選択制御部と、
を備え、
前記ＰＤＮ選択制御部は、前記複数の各ＰＤＮとコネクション確立を行うための複数の制御プロトコルを保有し、選択されたＰＤＮに適合する制御プロトコルを用いる
ことを特徴とする通信サービス提供システム。
【００１７】
（３）移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと前記ＰＤＮとの間に設けられ、
前記伝送路のうち前記コアネットワークから自ノードに到る第１の部分のコネクションを確立する情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて前記複数のＰＤＮのうち該当するＰＤＮとコネクションを確立することによって前記移動通信端末装置における設定に応じたＰＤＮとの通信を可能にするＰＤＮ選択制御部と、
を備え、
前記ＰＤＮ選択制御部は、前記第１の部分のコネクションを確立した状態で前記通信部で受信された当該ＰＤＮの選択に係る情報に応じて前記複数のＰＤＮのうち該当するＰＤＮとコネクションを確立することを特徴とする通信サービス制御ノード。
上記（３）の通信サービス制御ノードは、移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと前記ＰＤＮとの間に設けられる。
そして、前記伝送路のうち前記コアネットワークから自ノードに到る第１の部分のコネクションを確立し、そのＰＤＮ選択制御部によって、前記伝送路のうち前記通信サービス制御ノードから前記複数の各ＰＤＮに到る第２の部分のコネクションにおいて、前記第１の部分のコネクションを確立した状態で前記通信部で受信された移動通信端末装置からの該当するＰＤＮの選択に係る情報に応じて前記複数のＰＤＮのうち該当するＰＤＮとコネクションを確立することによって前記移動通信端末装置における設定に応じたＰＤＮとの通信を可能にする。
上記（３）の通信サービス制御ノードでは、そのＰＤＮ選択制御部が、前記第１の部分のコネクションを確立した状態で前記通信部で受信された当該ＰＤＮの選択に係る情報に応じて前記複数のＰＤＮのうち該当するＰＤＮとコネクションを確立する。
【００１８】
（４）前記ＰＤＮ選択制御部は、自己が扱う当該ＰＤＮの選択に係る情報を前記移動通信端末装置が該当する前記ＰＤＮのサーバからデータをダウンロードするに際して更新登録することを特徴とする（３）の通信サービス制御ノード。
上記（４）の通信サービス制御ノードでは、（３）の通信サービス制御ノードにおいて特に、前記ＰＤＮ選択制御部は、自己が扱う当該ＰＤＮの選択に係る情報を前記移動通信端末装置が該当する前記ＰＤＮのサーバからデータをダウンロードするに際して更新登録するため、登録された当該ＰＤＮの選択に係る情報に関する情報の陳腐化が抑止され得る。
【００１９】
（５）移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと前記ＰＤＮとの間に設けられ、
前記伝送路のうち前記コアネットワークから自ノードに到る第１の部分のコネクションを確立する情報ならびに、前記移動通信端末装置から前記無線アクセスネットワークおよび前記コアネットワークを通して該当するＰＤＮの選択に係る情報を受信する通信部と、
前記伝送路のうち自ノードから前記複数の各ＰＤＮに到る第２の部分のコネクションにおいて、前記通信部で受信された移動通信端末装置からの該当するＰＤＮの選択に係る情報に応じて前記複数のＰＤＮのうち該当するＰＤＮとコネクションを確立することによって前記移動通信端末装置における設定に応じたＰＤＮとの通信を可能にするＰＤＮ選択制御部と、
を備え、
前記ＰＤＮ選択制御部は、前記複数の各ＰＤＮとコネクション確立を行うための複数の制御プロトコルを保有し、選択されたＰＤＮに適合する制御プロトコルを用いることを特徴とする通信サービス制御ノード。
上記（５）の通信サービス制御ノードは、移動通信端末装置から該当する無線アクセスネットワークを経て複数のＰＤＮのうちの該当するＰＤＮに到る伝送路のうち前記無線アクセスネットワーク寄りの第１の部分に関するコネクションを確立するコアネットワークと前記ＰＤＮとの間に設けられる。
そして、前記伝送路のうち前記コアネットワークから自ノードに到る第１の部分のコネクションを確立し、そのＰＤＮ選択制御部によって、前記伝送路のうち前記通信サービス制御ノードから前記複数の各ＰＤＮに到る第２の部分のコネクションにおいて、前記第１の部分のコネクションを確立した状態で前記通信部で受信された移動通信端末装置からの該当するＰＤＮの選択に係る情報に応じて前記複数のＰＤＮのうち該当するＰＤＮとコネクションを確立することによって前記移動通信端末装置における設定に応じたＰＤＮとの通信を可能にする。
上記（５）の通信サービス制御ノードでは、そのＰＤＮ選択制御部が、前記複数の各ＰＤＮとコネクション確立を行うための複数の制御プロトコルを保有し、選択されたＰＤＮに適合する制御プロトコルを用いる。
【００２４】
（６）移動通信端末装置から該当する無線アクセスネットワークを経て複数のＰＤＮのうちの該当するＰＤＮに到る伝送路のうち前記無線アクセスネットワーク寄りの第１の部分に構成されるコアネットワークに続いて前記ＰＤＮに到る第２の部分に設けた通信サービス制御ノードが、
前記コアネットワークにおいて、該第１の部分に関するコネクションを確立し、
前記伝送路のうち前記第１の部分から前記複数の各ＰＤＮに到る第２の部分のコネクションにおいて、前記移動通信端末装置から前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信し、前記伝送路のうち自ノードから前記複数の各ＰＤＮに到る第２の部分のコネクションにおいて、受信された移動通信端末装置からの該当するＰＤＮの選択に係る情報に応じて、前記複数のＰＤＮのうち該当するＰＤＮとコネクションを確立することによって前記移動通信端末装置における設定に応じたＰＤＮとの通信を可能にし、前記第１の部分のコネクションを確立した状態で、受信された前記ＰＤＮの選択に係る情報に応じて前記複数のＰＤＮのうち該当するＰＤＮとコネクションを確立する
ことを特徴とする通信サービス提供方法。
【００２５】
上記（６）の通信サービス提供方法では、前記伝送路のうち前記コアネットワークから自ノードに到る第１の部分のコネクションを確立した状態で、通信サービス制御ノードが複数のＰＤＮとのコネクション確立を実現しているため、他のＰＤＮに接続を切替える場合でも、一旦確立した前記第１の部分のコネクションを切断する必要がない。また、前記第２の部分のコネクションが複数確立された場合でも、前記第１の部分のコネクションは同一のコネクションが用いられるため、コアネットワーク装置の必要なメモリ領域が増大することを要しない。
（７）移動通信端末装置から該当する無線アクセスネットワークを経て複数のＰＤＮのうちの該当するＰＤＮに到る伝送路のうち前記無線アクセスネットワーク寄りの第１の部分に構成されるコアネットワークに続いて前記ＰＤＮに到る第２の部分に設けた通信サービス制御ノードが、
前記コアネットワークにおいて、該第１の部分に関するコネクションを確立し、
前記伝送路のうち前記第１の部分から前記複数の各ＰＤＮに到る第２の部分のコネクションにおいて、前記移動通信端末装置から前記伝送路のうち前記コアネットワークから自ノードに到る第１の部分のコネクションを確立するための情報ならびに、前記移動通信端末装置から前記無線アクセスネットワークおよび前記コアネットワークを通して該当するＰＤＮの選択に係る情報を受信し、前記伝送路のうち自ノードから前記複数の各ＰＤＮに到る第２の部分のコネクションにおいて、受信された移動通信端末装置からの該当するＰＤＮの選択に係る情報に応じて、前記複数のＰＤＮのうち該当するＰＤＮとコネクションを確立することによって前記移動通信端末装置における設定に応じたＰＤＮとの通信を可能にするとともに、前記複数の各ＰＤＮとコネクション確立を行うための複数の制御プロトコルを保有し、選択されたＰＤＮに適合する制御プロトコルを用いる
ことを特徴とする通信サービス提供方法。
【発明の効果】
【００２６】
移動通信端末装置とＰＤＮ間でのコネクションが一旦確立した状態に到った後に、移動通信端末装置での設定の変更操作によって他のＰＤＮに接続を切替えるに際し、一旦確立したコネクションを切断することを要さず、且つ、必要なメモリ領域が増大することを要しない通信サービス提供システム、通信サービス制御ノード、および、通信サービス提供方法を実現することができる。
【図面の簡単な説明】
【００２７】
【図１】本願発明の実施の形態としての通信サービス提供システムを表す概念図である。
【図２】図１の通信サービス提供システムが稼動に到る状態を説明するための図である。
【図３】ＬＴＥを想定した図１の通信サービス提供システムにおいて、選択された通信サービスを利用しようとする状態を説明するための図である。
【図４】図３の通信サービス提供システムにおいて、利用するサービスを切替える状態を説明するための図である。
【図５】図１の通信サービス提供システムに適用される通信サービス制御ノード（ＰＤＮ管理ゲートウェイ）の構成を表す機能ブロック図である。
【図６】図１の通信サービス提供システムに適合する移動通信端末装置の構成を表す機能ブロック図である。
【図７】図１の通信サービス提供システムの動作を表すシーケンスチャートである。
【図８】移動通信端末装置から目的とするサービスに対応するＰＤＮとコネクションを確立する様子を表す概念図である。
【図９】図８におけるコネクションが一旦確立した状態に到った後に、移動通信端末装置での設定の変更操作によって他のＰＤＮに接続を切替える場合に生じる現象について説明するための図である。
【発明を実施するための形態】
【００２８】
以下に、図面を参照して本発明の実施の形態について詳述することにより、本発明を明らかにする。
（通信サービス提供システムの構成の概要）
図１は、本願発明の実施の形態としての通信サービス提供システムを表す概念図である。
図１において、移動通信端末装置１０１から該当する無線アクセスネットワークを経て複数のＰＤＮうちの該当するＰＤＮ１３０（１３１，１３２）に到る伝送路のうち前記無線アクセスネットワークＲＡＮ寄りの第１の部分Ｓ１には、この第１の部分におけるコネクションを確立するコアネットワークＣＮが構成されている。
コアネットワークＣＮには、ＧＧＳＮ／Ｐ−ＧＷ１１０が設備され上述のコネクション確立の処理を行う。
【００２９】
尚、既述のとおり、本発明が主題とする技術は、移動通信端末装置からＰＤＮへの無線アクセスネットワーク区間およびコアネットワーク区間における伝送路の方式の如何を問わない。このため、３Ｇの系統やＬＴＥの系統を、方式を問わず信号の伝送を担う伝送路として一括して観念し、これら方式の相違による区分については詳述しない。また、無線アクセスネットワークを、適宜、無線アクセスネットワーク区間と呼び、コアネットワークをコアネットワーク区間と呼ぶ。
【００３０】
図１では、このコアネットワーク区間の伝送を担うために機能するノードを代表的にＧＧＳＮ／Ｐ−ＧＷ１１０と表記している。
上述の伝送路の第１の部分に続いてＰＤＮ１３０に到る第２の部分Ｓ２（図１の場合では、コアネットワーク区間ＣＮに続く部分）にＰＤＮ管理ゲートウェイ１２０が設けられている。
【００３１】
移動通信端末装置１０１で、特定のＡＰＮ（ここでは「ｘｘｘ」とする）の設定が行われると、無線アクセスネットワーク区間ＲＡＮを経てこの設定を受けたコアネットワークＣＮにおいて、ＰＤＮ管理ゲートウェイ１２０へのコネクションが形成される。即ち、コアネットワークＣＮのＧＧＳＮ／Ｐ−ＧＷ１１０では、上述のＡＰＮ（ｘｘｘ）に対応してＰＤＮ管理ゲートウェイ１２０への接続を実行するための登録が予め行われている。
【００３２】
このＰＤＮ管理ゲートウェイ１２０は、上述した移動通信端末装置１０１とのＰＤＮコネクションを確立した状態で、コアネットワーク区間ＣＮとＰＤＮ１３０との間に設けられ伝送路のうち上述の第２の部分Ｓ２のコネクションにおいて、移動通信端末装置１０１における設定に応じて該当するＰＤＮを選択し、コネクションを確立することによって当該設定に応じたＰＤＮとの通信を可能にする通信サービス制御ノードである。
【００３３】
上述における第２の部分Ｓ２のコネクションのうち該当するコネクションを選択する操作は第１の部分Ｓ１のコネクションが確立した状態を維持したままで実行される。即ち、他のＰＤＮと接続をする場合でも第１の部分Ｓ１のコネクションは同一のため、一旦確立したコネクションを切断する必要がない。
また、上述のとおり複数のＰＤＮとコネクションが確立した場合でも、第１の部分Ｓ１のコネクションは一つであるため、従来技術におけるようにコアネットワーク装置の必要なメモリ領域が増大することを要しない。
【００３４】
図２は、図１の通信サービス提供システムが稼動に到る状態を説明するための図である。図２において図１との対応部は同一の符号が附されている。
図１を参照して既述のとおり、移動通信端末装置１０１からＡＰＮ（ｘｘｘ）が設定されると、無線アクセスネットワークＲＡＮおよびコアネットワークＣＮを経てＰＤＮ管理ゲートウェイ１２０へのコネクションが確立する。この状態に到った後、移動通信端末装置１０１から、ＰＤＮ（＃１）１３１への接続を求める何等かの信号（ここではＤＮＳ信号を用いることとする）が上記の如く確立したコネクションを通してＰＤＮ管理ゲートウェイ１２０に送信されると、この信号を受けたＰＤＮ管理ゲートウェイ１２０がＰＤＮ（＃１）１３１への接続処理を実行する。
【００３５】
この接続処理では、ＰＤＮ（＃１）１３１における該当するサーバに対する認証等を行い、通信を行うサーバのＩＰアドレスを取得する。ＰＤＮ管理ゲートウェイ１２０は、取得したＩＰアドレスを移動通信端末装置１０１に通知する。この通知を受けた移動通信端末装置１０１は上述のＩＰアドレスの認識のもとにＰＤＮ（＃１）１３１における該当するサーバとの通信を開始することができる。
【００３６】
図３は、図１の通信サービス提供システムにおいて、選択された通信サービスを利用しようとする状態を説明するための図である。尚、図３では、ＬＴＥのシステムである場合を想定している。図３において図１との対応部は同一の符号が附されている。
移動通信端末装置１０１で、デフォルト（default）の設定として既述のＡＰＮ（ｘｘｘ）を設定する。これにより、ユーザが移動通信端末装置１０１を用いる際に、無線アクセスネットワークＲＡＮおよびコアネットワークＣＮを経てＰＤＮ管理ゲートウェイ１２０へのコネクションが確立する。
【００３７】
尚、図３の例では、コアネットワークＣＮはＬＴＥにおけるＰ−ＧＷ（Packet Data Network Gateway）１１０ａが設備された系である。また、ＳＡＥ／ＥＰＣアーキテクチャを採る場合には、Ｐ−ＧＷ１１０ａより無線アクセスネットワークＲＡＮ寄りに図示しないＳ−ＧＷ（Serving Gateway）が設備される。
上述のように、ユーザが移動通信端末装置１０１を用いる際に、無線アクセスネットワークＲＡＮおよびコアネットワークＣＮを経てＰＤＮ管理ゲートウェイ１２０へのコネクションが確立する。このため、既述のように通信サービス制御ノードであるＰＤＮ管理ゲートウェイ１２０が機能し、ユーザは、続く選択操作によって、ｉモード基盤であるＰＤＮ１３１ａやＩＭＳ（IP Multimedia Subsystem）基盤であるＰＤＮ１３２ａへの接続が可能になる。
【００３８】
図４は、図３の通信サービス提供システムにおいて、利用するサービスを切替える状態を説明するための図である。
ここでは、既に、図３を参照して既述のように、ＰＤＮ管理ゲートウェイ１２０が機能してＰＤＮ１３０への選択的接続が可能になった状態あることを前提としている。
第１のケースとして、ユーザが通信端末装置１０１からｉモード（登録商標）のメーラ（以下、特定メーラという）を起動した場合を想定する。この場合、通信端末装置１０１からＤＮＳクエリ（DNS  Query）におけるＤＮＳヘッダに続くセクションの質問セクションにおいてQnameとしてｉモード（登録商標）を設定する………（４１）。
ＰＤＮ管理ゲートウェイ１２０は、上述の如く設定されたQnameであるｉモード（登録商標）を受信し認識すると、これに基づいて、ＰＤＮ１３１ａにおける目的とするｉモード（登録商標）のサーバに対し接続処理およびアドレスの取得を実行する………（４２）。
【００３９】
第２のケースとして、ユーザが通信端末装置１０１からＩＭＳのアプリケーションを起動した場合を想定する。この場合、通信端末装置１０１からＤＮＳクエリ（DNS  Query）におけるＤＮＳヘッダに続くセクションの質問セクションにおいてQnameとして当該ＩＭＳのアプリケーションの表記を設定する……（４３）。
ＰＤＮ管理ゲートウェイ１２０は、上述の如く設定されたQnameである当該ＩＭＳのアプリケーションの表記を受信し認識すると、これに基づいて、ＰＤＮ１３１ａにおける目的とするＩＭＳのアプリケーションのサーバに対し接続処理およびアドレスの取得を実行する………（４４）。
【００４０】
（通信サービス制御ノードの構成）
図５は、図１の通信サービス提供システムに適用される通信サービス制御ノードとしてのＰＤＮ管理ゲートウェイの構成を表す機能ブロック図である。図５のＰＤＮ管理ゲートウェイの説明では、適宜、図１を併せ参照する。
【００４１】
この通信サービス制御ノード（ＰＤＮ管理ゲートウェイ）１２０は、通信部１２１およびＰＤＮ選択制御部１２２を備えている。
通信部１２１は、移動通信端末装置１０１から前記無線アクセスネットワークおよび前記コアネットワークを通して該当するＰＤＮの選択に係る情報を受信する。尚、本実施の形態では、通信部１２１は、上述の受信機能を含み、コアネットワーク１１０および、自ノード（ＰＤＮ管理ゲートウェイ）１２０の外部との種々の通信機能を賄う。
【００４２】
ＰＤＮ選択制御部１２２は、図１を参照して既述の伝送路のうち自ノード１２０から複数の各ＰＤＮ１３０（１３１、１３２）に到る第２の部分Ｓ２のコネクションにおいて、通信部１２１で受信された移動通信端末装置１０１からの該当するＰＤＮの選択に係る情報に応じて該当するＰＤＮを選択し、伝送路の第２の部分Ｓ２のコネクションを確立することによって当該設定に応じたＰＤＮとの通信を可能にする。
【００４３】
即ち、図４を参照して既述のように通信部１２１で受信された当該ＰＤＮの選択に係る情報としてのQnameに応じて該当のＰＤＮを選択し、伝送路の第２の部分Ｓ２のコネクションを確立する。
尚、ＰＤＮ選択制御部１２２は、ＰＤＮの選択を行い、該当のＰＤＮとコネクション確立を行うための複数の制御プロトコルを保有し、選択されたＰＤＮに適合する制御プロトコルを用いるように構成することができる。このように構成した場合には、ＰＤＮの選択によく適合した制御プロトコルによって効率よく速やかなコネクション確立処理が実行され得る。
【００４４】
また、ＰＤＮ選択制御部は、自己が扱うQnameを、前記移動通信端末装置が該当する前記ＰＤＮのサーバからデータをダウンロードするに際して、更新登録するように構成することができる。このように構成した場合には、上述の更新登録によって、登録されたQnameに関する情報の計時的な陳腐化が抑止され得る。
【００４５】
（移動通信端末装置の構成）
図６は、図１の通信サービス提供システムに適合する移動通信端末装置の構成を表す機能ブロック図である。この図６では、図１の移動通信端末装置１０１について改めて６００番台の符号を附している。
移動通信端末装置６００は、無線通信部６１０、選択操作部６２０、および、ユーザ操作部６３０を備えている。
無線通信部６１０は、無線アクセスネットワークＲＡＮとの通信を行う。
【００４６】
選択操作部６２０は、無線通信部６１０を通して無線アクセスネットワークＲＡＮおよび既定のコアネットワークＣＮを介して複数のＰＤＮ１３０のうちのいずれかとの選択的な通信を可能にする通信サービス制御ノード（ＰＤＮ管理ゲートウェイ）１２０における該当するコネクションを選択する。そして、この実施の形態における選択操作部６２０は、無線通信部６１０を通して無線アクセスネットワークＲＡＮおよび既定のコアネットワークＣＮを介して通信サービス制御ノード（ＰＤＮ管理ゲートウェイ）１２０へのコネクションを確立するためのQnameを保持するQname保持部６２１を備えている。このQname保持部６２１は、無線通信部６１０を通してのアプリケーションのダウンロードによって取得され、またはユーザの設定操作に応じて入力された該当するQnameを保持する。Qnameは、図４を参照して既述の如く用いられるが、この点については、後に図７を参照して更に説明する。また選択操作部６２０は、選択されたコネクションの確立の履歴に応じて当該コネクション確立のための情報をキャッシュするキャッシュ処理部６２２を備えている。
【００４７】
一方、ユーザ操作部６３０は、ユーザからの種々の操作を例えば、キースイッチやタッチパネル等によって受付けるユーザインターフェース部を構成している。選択操作部６２０等に対するユーザからの操作も、このユーザ操作部６３０を通して行われる。
【００４８】
（通信サービス提供システムの動作）
図７は、図１の通信サービス提供システムの動作を表すシーケンスチャートである。
このシーケンスチャートは、既述の移動通信端末装置１０１（６００）、Ｐ−ＧＷ１１０ａ、ＰＤＮ管理ゲートウェイ（通信サービス制御ノード）１２０、ｉモード（登録商標）のサーバ（以下、特定通信サービス用サーバという）１３１ａａ、および、ＩＭＳサーバ１３２ａａ間での動作を表している。
移動通信端末装置１０１における電源ＯＮ等の操作に基づいて、その網内の在圏が検知された場合（ステップＳ７０１）、これを契機として、デフォルト（default）設定されたＡＰＮ（ｘｘｘ）がＰ−ＧＷ１１０ａに送信される（ステップＳ７０２）。
【００４９】
ＡＰＮ（ｘｘｘ）を受けたＰ−ＧＷ１１０ａでは、このＡＰＮ（ｘｘｘ）によって表された接続先を判断する。既述のとおり、このＡＰＮ（ｘｘｘ）はＰ−ＧＷ１１０ａに予め登録されたデータに依拠してＰＤＮ管理ゲートウェイ（通信サービス制御ノード）１２０への接続要求である旨認識される（ステップＳ７０３）。
ステップＳ７０３に次いで、ＰＤＮ管理ゲートウェイ１２０へ接続要求信号が発信され（ステップＳ７０４）、これに対し、ＰＤＮ管理ゲートウェイ１２０からＰ−ＧＷ１１０ａを介して移動通信端末装置１０１へ接続応答信号が返される（ステップＳ７０５、ステップＳ７０６）。
【００５０】
ステップＳ７０６までの処理によって、移動通信端末装置１０１からＰＤＮ管理ゲートウェイ１２０までのコネクションが確立し、以降、ユーザが所望するアプリケーション（即ち、ＰＤＮ１３０）の選択に応じたコネクションを確立できる状態となる。
この状態において、移動通信端末装置１０１においてメーラ（例えば、既述の特定メーラ）を起動すると（ステップＳ７０７）、移動通信端末装置１０１からＰ−ＧＷ１１０ａを介してＰＤＮ管理ゲートウェイ１２０にＤＮＳ問い合せが発せられる（ステップＳ７０８）。ステップＳ７０８の問い合せは、この実施の形態の場合、図４を参照して既述のように、Qnameとして設定されたｉモード（登録商標）について行われる。
【００５１】
ステップＳ７０８の問い合せを受けたＰＤＮ管理ゲートウェイ１２０では、このQnameに対応するＩＰアドレスの判断処理を実行する（ステップＳ７０９）。
この実施の形態で想定した状況においては、このQnameに対応するＩＰアドレスが特定通信サービス用サーバ１３１ａａに該当する旨判断される。
ステップＳ７０９での上述の判断に基づいて、ＰＤＮ管理ゲートウェイ１２０から特定通信サービス用サーバ１３１ａａへ接続要求信号が発信され（ステップＳ７１０）、これに対し、特定通信サービス用サーバ１３１ａａからＰＤＮ管理ゲートウェイ１２０に接続応答信号が返される（ステップＳ７１１）。
【００５２】
ステップＳ７１１での接続応答信号を受けたＰＤＮ管理ゲートウェイ１２０は、Ｐ−ＧＷ１１０ａを介して移動通信端末装置１０１へＤＮＳ応答を返す（ステップＳ７１２）。このステップＳ７１２におけるＤＮＳ応答によって、移動通信端末装置１０１では特定通信サービス用サーバ１３１ａａのＩＰアドレスが取得され、以降、特定通信サービス用サーバ１３１ａａとの通信（ユーザデータ通信）を行うことが可能となる（ステップＳ７１３）。
【００５３】
ステップＳ７１３におけるように、移動通信端末装置１０１が特定通信サービス用サーバ１３１ａａとの通信（ユーザデータ通信）を持続している状態で、次に、ユーザが移動通信端末装置１０１でＩＭＳのアプリケーションを起動した場合を想定する（ステップＳ７１４）。
ステップＳ７１４におけるようにＩＭＳのアプリケーションが起動されると、移動通信端末装置１０１からＰ−ＧＷ１１０ａを介してＰＤＮ管理ゲートウェイ１２０にＤＮＳ問い合せが発せられる（ステップＳ７１５）。ステップＳ７１５の問い合せは、この実施の形態の場合、図４を参照して既述のように、Qnameとして設定されたＩＭＳのアプリケーションについて行われる。
【００５４】
ステップＳ７１５の問い合せを受けたＰＤＮ管理ゲートウェイ１２０では、このQnameに対応するＩＰアドレスの判断処理を実行する（ステップＳ７１６）。
この実施の形態で想定した状況においては、このQnameに対応するＩＰアドレスがＩＭＳサーバ１３２ａａに該当する旨判断される。
ステップＳ７１６での上述の判断に基づいて、ＰＤＮ管理ゲートウェイ１２０からＩＭＳサーバ１３２ａａへ接続要求信号が発信され（ステップＳ７１７）、これに対し、ＩＭＳサーバ１３２ａａからＰＤＮ管理ゲートウェイ１２０に接続応答信号が返される（ステップＳ７１８）。
【００５５】
ステップＳ７１８での接続応答信号を受けたＰＤＮ管理ゲートウェイ１２０は、Ｐ−ＧＷ１１０ａを介して移動通信端末装置１０１へＤＮＳ応答を返す（ステップＳ７１９）。このステップＳ７１８におけるＤＮＳ応答によって、移動通信端末装置１０１ではＩＭＳサーバ１３２ａａのＩＰアドレスが取得され、以降、ＩＭＳサーバ１３２ａａとの通信（ユーザデータ通信）を行うコネクションが確立する（ステップＳ７２０）。
【符号の説明】
【００５６】
１０１（６００）…………………………移動通信端末装置
１１０………………………………………ＧＧＳＮ／Ｐ−ＧＷ
１１０ａ……………………………………Ｐ−ＧＷ
１２０………………………………………ＰＤＮ管理ゲートウェイ
１２１………………………………………通信部
１２２………………………………………ＰＤＮ選択制御部
１３０（１３１，１３２）………………ＰＤＮ
６１０………………………………………無線通信部
６２０………………………………………選択操作部
６２１………………………………………Qname保持部
６２２………………………………………キャッシュ処理部
６３０………………………………………ユーザ操作部
【図１】
0005639502.tif 000002
【図２】
0005639502.tif 000003
【図３】
0005639502.tif 000004
【図４】
0005639502.tif 000005
【図５】
0005639502.tif 000006
【図６】
0005639502.tif 000007
【図７】
0005639502.tif 000008
【図８】
0005639502.tif 000009
【図９】
0005639502.tif 000010